(57)【要約】【課題】潤滑油がコネクタの相手コネクタ装着孔に進入することによって発生するショート等の不具合を極力防止する。【解決手段】剛性を有する線材１０を所定の配索パターン状に折り曲げ加工して形成された線材配索回路体４と、この線材配索回路体４が一面に配置され、且つ、電子部品２０〜２４が搭載されるベース部材５と、このベース部材５に配置された線材配索回路体４を被う状態でベース部材５に固定されるカバー６とによってユニット化された本体ユニット３が構成され、この本体ユニット３をミッションケース２内に配置したトランスミッション１であって、本体ユニット３にはコネクタ１７が設けられ、このコネクタ１７の相手コネクタ装着孔１６ａの開口方向が車両下方向きに設定された。【選択図】　　　図２
2004028191.tif 000002
【特許請求の範囲】
【請求項１】
剛性を有する線材を所定の配索パターン状に加工して形成された線材配索回路体と、この線材配索回路体が一面に配置され、且つ、電子部品が搭載されるベース部材と、このベース部材に配置された前記線材配索回路体を被う状態で前記ベース部材に固定されるカバーとによってユニット化された本体ユニットが構成され、この本体ユニットをミッションケース内に配置したトランスミッションであって、
前記本体ユニットにはコネクタが設けられ、このコネクタの相手コネクタ装着孔の開口方向が車両下方向きに設定されていることを特徴とするトランスミッション。
【請求項２】
請求項１記載のトランスミッションであって、
前記線材配索回路体の前記線材の先端部を前記コネクタのコネクタ端子として形成したことを特徴とするトランスミッション。
【請求項３】
請求項１又は請求項２記載のトランスミッションであって、前記本体ユニット側の前記コネクタは、オス端子内蔵のものであり、このコネクタに中継コネクタを介して相手側コネクタを接続したことを特徴とするトランスミッション。
【発明の詳細な説明】
【０００１】
【発明の属する技術分野】
本発明は、トランスミッションに関し、無段変速切り換えのオートマチックトランスミッションに好適な技術に係わる。
【０００２】
【従来の技術】
この種の従来のトランスミッションは、入力軸の一端側と、出力軸の一端側と、入力軸の回転を所望の回転数に変更して出力軸側に伝達する変速用ギア機構と、この変速用ギア機構を制御するために必要なセンサなどの電子部品と、これら電子部品の一部を保持するための基板と、電子部品間の信号伝達や外部との信号伝達を行うためのワイヤーハーネスと、これら部品を内部に収容し、前記変速用ギア機構に供給する潤滑油が内部スペースの下方に貯められたミッションケースとから構成されている。
【０００３】
前記従来のトランスミッションの組み付け作業は、各種電子部品や基板やワイヤーハーネスを個々にミッションケース内の所定位置に収容し、且つ、収容した電子部品に対しワイヤーハーネスのコネクタを接続することによって電気的接続を行う必要がある。従って、ミッションケースへの部品収容作業が面倒であり、且つ、ワイヤーハーネスによる電気的接続作業が面倒であるという問題がある。
【０００４】
そこで、本出願人は、このような問題を解決するべく、剛性を有する線材を所定の配索パターン状に折り曲げ加工して形成された線材配索回路体と、この線材配索回路体が一面に配置され、且つ、電子部品が搭載されるベース部材と、このベース部材に配置された前記線材配索回路体を被う状態で前記ベース部材に固定されるカバーとによってユニット化された本体ユニットを構成し、この本体ユニットをミッションケース内に配置するトランスミッションを開発した。
【０００５】
このトランスミッションでは、線材配索回路体をベース部材の所定位置に配置すると共に電子部品をベース部材の所定位置に搭載し、このベース部材にカバーを固定することによって本体ユニットが構成され、このようにユニット化された本体ユニットをミッションケースに収容することから部品収容作業が軽減され、又、電子部品への配線経路や分岐回路等を線材配索回路体によって形成することからミッションケース内に配置するワイヤーハーネスの本数が軽減される。以上より、ミッションケース内への部品収容作業、及び、電気的接続作業を容易にできるものである。
【０００６】
【発明が解決しようとする課題】
ところで、本体ユニットには、少なくともミッションケース外の回路と電気的接続を行う必要があるためコネクタが設けられるが、このコネクタには潤滑油の付着が避けられない。つまり、ミッションケース内の下方には変速ギア機構用の潤滑油が収容され、この潤滑油がミッションケース内を飛散するためである。潤滑油が本体ユニット側のコネクタの相手コネクタ装着孔に進入すると、端子間の接触特性が悪くなるおそれがある。又、この潤滑油にはコンタミ（鉄粉）が混入しており、コンタミ（鉄粉）が混入した潤滑油が本体ユニット側のコネクタの相手コネクタ装着孔に進入すると、コンタミ（鉄粉）によってショートを起こすおそれもある。
【０００７】
そこで、本発明は、前記した課題を解決すべくなされたものであり、潤滑油がコネクタの相手コネクタ装着孔に進入することによって発生するショート等の不具合を極力防止できるトランスミッションを提供することを目的とする。
【０００８】
【課題を解決するための手段】
請求項１の発明は、剛性を有する線材を所定の配索パターン状に加工して形成された線材配索回路体と、この線材配索回路体が一面に配置され、且つ、電子部品が搭載されるベース部材と、このベース部材に配置された前記線材配索回路体を被う状態で前記ベース部材に固定されるカバーとによってユニット化された本体ユニットが構成され、この本体ユニットをミッションケース内に配置したトランスミッションであって、前記本体ユニットにはコネクタが設けられ、このコネクタの相手コネクタ装着孔の開口方向が車両下方向きに設定されていることを特徴とする。
【０００９】
このトランスミッションでは、ミッションケース内を飛散する潤滑油が本体ユニットの外面を伝ってコネクタに付着し、又は、潤滑油が直接にコネクタに付着するが、コネクタに付着した潤滑油は自重により車両下方に向かって流れることから車両下方向きに開口している相手コネクタ装着孔に進入しにくい。
【００１０】
請求項２の発明は、請求項１記載のトランスミッションであって、前記線材配索回路体の前記線材の先端部を前記コネクタのコネクタ端子として形成したことを特徴とする。
【００１１】
このトランスミッションでは、請求項１の発明の作用に加え、線材配索回路体の他に、別体のコネクタ端子を用意する必要がなく、又、コネクタ端子と線材配索回路体の線材とを溶接等で接続する作業を行う必要がない。
【００１２】
請求項３の発明は、請求項１又は請求項２記載のトランスミッションであって、前記本体ユニット側の前記コネクタは、オス端子内蔵のものであり、このコネクタに中継コネクタを介して相手側コネクタを接続したことを特徴とする。
【００１３】
このトランスミッションでは、請求項１又は請求項２の発明の作用に加え、相手側コネクタがオス端子内蔵のものである場合にも本体ユニット側のコネクタと接続できる。
【００１４】
【発明の実施の形態】
以下、本発明の一実施形態を図面に基づいて説明する。
【００１５】
図１〜図７は本発明の一実施形態を示し、図１はトランスミッション１の側面図、図２は本体ユニット３の分解斜視図、図３は本体ユニット３の組み付け状態の斜視図、図４（ａ）は線材配索回路体４の側面図、図４（ａ）の線材１０のコネクタ端子１０ｂとして形成された部分の要部拡大図、図５はコネクタ１７の接続状態を示す拡大斜視図、図６はカバー６の内面図、図７は線材配索回路体４の配置状態を示す断面図である。
【００１６】
図１に示すように、トランスミッション１は、内部を密閉状態に保持し、内部の下方に潤滑油（図示せず）が収容されたミッションケース２を有し、このミッションケース２内に入力軸（図示せず）の一端側と、出力軸（図示せず）の一端側と、入力軸の回転を所望の回転数に変更して出力軸側に伝達する変速用ギア機構（図示せず）と、この変速用ギア機構（図示せず）を制御するために必要なセンサなどの電子部品や回路を搭載する本体ユニット３と、この本体ユニット３を外部の回路に電気的に接続するためのワイヤーハーネスＷＨ（図５に示す）とが収容されている。
【００１７】
図２及び図３に示すように、本体ユニット３は、所定の配索パターンによって所望の回路が形成されている線材配索回路体４と、この線材配索回路体４が上面に配置されるベース部材５と、このベース部材５に配置された線材配索回路体４を被う状態でベース部材５に固定されるカバー６と、ベース部材５の下面に固定されたコントロールバルブアッパー７とを備えている。
【００１８】
線材配索回路体４は、導電性で、且つ、剛性を有する複数の線材１０を所定の配索パターン状に折り曲げ加工して形成されている。具体的には、電子部品への配線経路や分岐回路等を形成している。この実施形態の線材１０は、断面正方形状の角線材であり、角線材を自動線材折り曲げ装置によって高密度配索に加工されている。そして、線材配索回路体４の一部の線材１０の端部は、上方に折曲され、この各上方折曲部分に各ソレノイドバルブ用端子１１がそれぞれ溶着されている。線材配索回路体４は、１本のメインアース用線材１０ａを有し、このメインアース用線材１０ａの適所にソレノイドバルブ用アース端子１２がそれぞれ溶着されている。又、線材配索回路体４の一部の線材１０の端部は、図４（ａ）、（ｂ）に詳しく示すように、下方に折曲され、且つ、その先端がテーパ状とされることによってオスのコネクタ端子１０ｂとして形成されている。
【００１９】
ベース部材５は、絶縁体で偏平フラット形状を有し、その上面に短手方向の両側に隔壁部１４を有する線材収容溝１５が設けられている。線材収容溝１５は、線材配索回路体４の線材配索パターンにほぼ対応するパターン形状を有し、図７に詳しく示すように、この線材収容溝１５内に線材配索回路体４が収容されている。線材収容溝１５は、一部高さが異なるよう立体的に形成され、線材配索回路体４の線材１０であって、交差するもの同士が接触しないようになっている。
【００２０】
図２及び図３に戻り、ベース部材５には、２箇所にコネクタフード部１６が一体成形により設けられている。各コネクタフード部１６は、ベース部材５の下方に向かって延設されており、このコネクタフード部１６内に線材配索回路体４の各コネクタ端子１０ｂが配置されている。つまり、コネクタフード部１６と線材配索回路体４のコネクタ端子１０ｂとによって本体ユニット３側のコネクタ１７がそれぞれ構成されている。各コネクタフード部１６には相手コネクタが挿入される相手コネクタ装着孔１６ａが設けられており、この相手コネクタ装着孔１６ａの開口方向は車両下方向きになるよう設定されている。各コネクタ１７は、線材１０の端部を利用してコネクタ端子１０ｂが形成されているためオス端子内蔵のものであり、図５に示すように、このコネクタ１７にはワイヤーハーネスＷＨのコネクタ１８が中継コネクタ１９を介して接続されている。つまり、ワイヤーハーネスＷＨのコネクタ１８はオス端子内蔵のものであるため、メス端子−メス端子内蔵の中継コネクタ１９を介在して双方のコネクタ１７，１８間が接続されている。
【００２１】
又、ベース部材５には電子部品であるＲＯＭ２０、８個のソレノイドバルブ２１、６個の油圧スイッチ２２（図１に示す）、回転センサ２３、油温センサ２４などが搭載されている。ＲＯＭ（リード・オンリ・メモリー）２０は、ねじ止めによってベース部材５に固定されていると共に、そのリード端子２０ａが所定の線材１０の端部に溶着されている。各ソレノイドバルブ２１は、その下面側に端子挿入孔（図示せず）を有し、この端子挿入孔にソレノイドバルブ用端子１１及びソレノイドバルブ用アース端子１２を挿入することによってベース部材５に装着されている。各油圧スイッチ２２は、ベース部材５の下面側にプレート２５（図１に示す）等を介して装着されている。回転センサ２３は、ボルト（図示せず）とナット（図示せず）によってベース部材５に固定されていると共に、そのリード線２６は線材配索回路体４の線材１０の溶着部１０ｃに溶接によって接続されている。油温センサ２４は、ベース部材５以外の部材に固定されていると共に、そのリード線２７は線材配索回路体４の線材１０の溶着部１０ｃに溶接によって接続されている。
【００２２】
カバー６は、図２及び図３に示すように、絶縁体でほぼベース部材５の上面全体を被う形状を有している。カバー６の内面（下面）には、図６に示すように、線材配索回路体４の線材配索パターンにほぼ対応するパターン形状の溝閉塞突起２８が設けられている。この溝閉塞突起２８は、図７に詳しく示すように、ベース部材４の線材収容溝１５内に入り込んで線材収容溝１５内の入口部分を塞ぎ、且つ、その下面が線材収容溝１５に収容された線材配索回路体４の各線材１０の上面にほぼ当接されている。
【００２３】
次に、このように構成された本体ユニット３の組み付け作用、及び、組み付け完了した本体ユニット３のミッションケース３内への収容作業を説明する。先ず、線材配索回路体４をベース部材５の上方より線材収容溝１５内に収容し、これにより線材配索回路体４がベース部材５の所定位置にセットされる。このセットに際して線材配索回路体４のコネクタ端子１０ｂがベース部材５のコネクタフード部１６内に挿入され、これでコネクタ１７が構成される。
【００２４】
次に、線材配索回路体４の所定の線材１０の端部にソレノイドバルブ用端子１１及びソレノイドバルブ用アース端子１２を溶接により接続し、又、ＲＯＭ２０、油圧スイッチ２２（図１に示す）、回転センサ２３、油温センサ２４等をベース部材５の所定位置に搭載する。ここで、ＲＯＭ２０等の電子部品を線材配索回路体４に電気的に接続するため、所定の線材１０との間で溶着を行う。例えば回転センサ２３及び油温センサ２４のリード線２６，２７は、所定の線材１０の溶着部１０ｃとの間で溶着される。
【００２５】
次に、ベース部材５の上面にカバー６を被せ、ベース部材５とカバー６とを固定する。カバー６を被せたベース部材５には８組のソレノイドバルブ用端子１１及びソレノイドバルブ用アース端子１２がカバー６上より突出し、この突出した各組のソレノイドバルブ用端子１１及びソレノイドバルブ用アース端子１２にソレノイドバルブ２１をそれぞれ装着する。本体ユニット３の組み付けが完了すると、ユニット化された本体ユニット３をミッションケース２内の所定位置に収容する（図１参照）。
【００２６】
上記構成において、トランスミッション１が駆動されると、ミッションケース２内の下方に収容された潤滑油は、変速ギア機構（図示せず）のギア回転等によって変速ギア機構に供給され、このように供給された潤滑油は変速ギア機構のギア回転等によって飛散される。飛散された潤滑油は自重によって徐々に下方に流れることによって再びミッションケース２内の下方に戻され、このような動作を繰り返すことによりミッションケース２内を循環する。この潤滑油の循環過程にあって、ミッションケース２内で飛散された一部の潤滑油は本体ユニット３の外面を伝ってコネクタ１７に付着し、又は、飛散された一部の潤滑油は直接にコネクタ１７に付着する。しかし、このトランスミッション１の本体ユニット３では、コネクタ１７の相手コネクタ装着孔１６ａの開口方向が車両下方向きに設定されているので、コネクタ１７に付着した潤滑油が自重により車両下方に向かって流れることから相手コネクタ装着孔１６ａに進入しにくい。従って、潤滑油が相手コネクタ装着孔１６ａに進入することによって発生するショート等の不具合を極力防止できる。
【００２７】
この実施形態では、線材配索回路体４の線材１０の先端部をコネクタ端子１０ｂとして形成したので、線材配索回路体４の他に、別体のコネクタ端子を用意する必要がなく、又、コネクタ端子と線材配索回路体４の線材１０とを溶接等で接続する作業を行う必要がない。尚、線材配索回路体４とは別体のメス端子を用意し、このメス端子を線材配索回路体４の線材１０の端部に溶着してコネクタ１７の端子としても良い。この場合には、ワイヤーハーネスＷＨのコネクタ１８を中継コネクタ１９を介在させることなく接続できる。
【００２８】
この実施形態では、本体ユニット３側のコネクタ１７は、オス端子内蔵のものであり、このコネクタ１７に中継コネクタ１９を介してワイヤーハーネスＷＨのコネクタ（相手側コネクタ）１８を接続したので、ワイヤーハーネスＷＨのコネクタ１８がオス端子内蔵のものである場合にも本体ユニット３側のコネクタ１７と接続できる。
【００２９】
【発明の効果】
以上説明したように、請求項１の発明によれば、剛性を有する線材を所定の配索パターン状に折り曲げ加工して形成された線材配索回路体と、この線材配索回路体が一面に配置されるベース部材と、このベース部材に配置された線材配索回路体を被う状態でベース部材に固定されるカバーとによってユニット化された本体ユニットが構成され、この本体ユニットをミッションケース内に配置したトランスミッションであって、本体ユニットのコネクタは、その相手コネクタ装着孔の開口方向が車両下方向きに設定されているので、ミッションケース内を飛散する潤滑油が本体ユニットの外面を伝ってコネクタに付着し、又は、飛散する潤滑油が直接にコネクタに付着するが、コネクタに付着した潤滑油は自重により車両下方に向かって流れることから車両下方向きに開口している相手コネクタ装着孔に進入しにくい。従って、潤滑油が相手コネクタ装着孔に進入することによって発生するショート等の不具合を極力防止できる。
【００３０】
請求項２の発明によれば、請求項１記載のトランスミッションであって、線材配索回路体の線材の先端部をコネクタのコネクタ端子として形成したので、請求項１の発明の効果に加え、線材配索回路体の他に、別体のコネクタ端子を用意する必要がなく、又、コネクタ端子と線材配索回路体の線材とを溶接等で接続する作業を行う必要がない。
【００３１】
請求項３の発明によれば、請求項１又は請求項２記載のトランスミッションであって、本体ユニット側のコネクタは、オス端子内蔵のものであり、このコネクタに中継コネクタを介して相手側コネクタを接続したので、請求項１又は請求項２の発明の効果に加え、相手側コネクタがオス端子内蔵のものである場合にも本体ユニット側のコネクタと接続できる。
【図面の簡単な説明】
【図１】本発明の一実施形態を示し、トランスミッションの側面図である。
【図２】本発明の一実施形態を示し、本体ユニットの分解斜視図である。
【図３】本発明の一実施形態を示し、本体ユニットの組み付け状態の斜視図である。
【図４】本発明の一実施形態を示し、（ａ）は線材配索回路体の側面図、（ｂ）は線材のコネクタ端子として形成された部分の要部拡大図である。
【図５】本発明の一実施形態を示し、コネクタの接続状態を示す拡大斜視図である。
【図６】本発明の一実施形態を示し、カバーの内面図である。
【図７】本発明の一実施形態を示し、線材配索回路体の配置状態を示す断面図である。
【符号の説明】
１　トランスミッション
２　ミッションケース
３　本体ユニット
４　線材配索回路体
５　ベース部材
６　カバー
１０　線材
１０ｂ　コネクタ端子
１６ａ　相手コネクタ装着孔
１７　コネクタ
１８　ワイヤーハーネスのコネクタ（相手コネクタ）
１９　中継コネクタ
２０　ＲＯＭ（電子部品）
２１　ソレノイドバルブ（電子部品）
２２　油圧スイッチ（電子部品）
２３　回転センサ（電子部品）
２４　油温センサ（電子部品）
【図１】
2004028191.tif 000003
【図２】
2004028191.tif 000004
【図３】
2004028191.tif 000005
【図４】
2004028191.tif 000006
【図５】
2004028191.tif 000007
【図６】
2004028191.tif 000008
【図７】
2004028191.tif 000009